(57)【要約】【課題】実行された放射線撮影における照射野情報に基づいて面積線量を取得すること。【解決手段】撮影制御装置は、放射線撮影により取得された放射線画像、撮影情報、予め設定された放射線撮影の照射野情報のうち少なくとも何れか一つに基づいた照射野取得方法により、放射線撮影における照射野情報を取得する照射野取得部と、照射野情報に基づいて、放射線撮影における面積線量を取得する面積線量取得部と、を備える。照射野取得部は、照射野情報を取得できない場合、照射野取得方法とは異なる照射野取得方法に基づいて照射野情報を取得する。【選択図】図１
2019198427.tif 000002
【特許請求の範囲】
【請求項１】
放射線撮影により取得された放射線画像、前記放射線撮影に関する撮影情報、予め設定された前記放射線撮影の照射野情報のうち少なくとも何れか一つに基づいた照射野取得方法により、前記放射線撮影における照射野情報を取得する照射野取得手段と、
前記照射野情報に基づいて、前記放射線撮影における面積線量を取得する面積線量取得手段と、を備え、
前記照射野取得手段は、前記照射野情報を取得できない場合、前記照射野取得方法とは異なる照射野取得方法に基づいて前記照射野情報を取得することを特徴とする撮影制御装置。
【請求項２】
前記照射野取得手段は、第一の照射野取得方法として、前記放射線画像に対する画像処理を行い、前記画像処理では前記照射野情報を取得できない場合、第二の照射野取得方法として、前記撮影情報に含まれる情報に基づいて、前記照射野情報を取得することを特徴とする請求項１に記載の撮影制御装置。
【請求項３】
前記照射野取得手段は、第一の照射野取得方法として、前記撮影情報に含まれる情報に基づいて、前記照射野情報を取得する取得処理を行い、前記取得処理では前記照射野情報を取得できない場合、第二の照射野取得方法として、前記放射線画像に対する画像処理に基づいて、前記照射野情報を取得することを特徴とする請求項１に記載の撮影制御装置。
【請求項４】
前記照射野取得手段は、前記撮影情報に含まれる放射線発生装置のコリメータ情報に基づいて、前記照射野情報を取得することを特徴とする請求項１乃至３のいずれか１項に記載の撮影制御装置。
【請求項５】
前記照射野取得手段は、第一の照射野取得方法として、前記放射線画像に対する画像処理を行い、前記画像処理では前記照射野情報を取得できない場合、第二の照射野取得方法として、撮影条件として予め設定された放射線撮影の照射野情報に基づいて、前記放射線撮影における照射野情報を取得することを特徴とする請求項１に記載の撮影制御装置。
【請求項６】
前記照射野取得手段は、第一の照射野取得方法として、撮影条件として予め設定された放射線撮影の照射野情報に基づいて、前記放射線撮影における照射野情報を取得する取得処理を行い、前記取得処理では前記照射野情報を取得できない場合、第二の照射野取得方法として、前記放射線画像に対する画像処理に基づいて、前記照射野情報を取得することを特徴とする請求項１に記載の撮影制御装置。
【請求項７】
前記照射野取得手段は、前記放射線撮影の撮影条件に含まれる情報として予め設定された照射野情報が含まれている場合、前記予め設定された照射野情報を、前記放射線撮影における照射野情報として取得することを特徴とする請求項５または６に記載の撮影制御装置。
【請求項８】
前記照射野取得手段は、第一の照射野取得方法として、前記撮影情報を取得できない場合、第二の照射野取得方法として、前記放射線画像に対する画像処理または前記予め設定された照射野情報に基づいて、前記照射野情報を取得することを特徴とする請求項７に記載の撮影制御装置。
【請求項９】
前記照射野取得手段は、第一の照射野取得方法として、照射野情報が予め設定されていない場合、第二の照射野取得方法として、前記放射線画像に対する画像処理または前記撮影情報に含まれる情報に基づいて、前記照射野情報を取得することを特徴とする請求項７に記載の撮影制御装置。
【請求項１０】
前記照射野取得手段は、第一の照射野取得方法として前記放射線画像に対して画像処理を行い、前記画像処理では前記照射野情報を取得できない場合、第二の照射野取得方法として、前記画像処理のアルゴリズムとは異なる画像処理を行い、前記照射野情報を取得することを特徴とする請求項１に記載の撮影制御装置。
【請求項１１】
前記第一の照射野取得方法における画像処理は、撮影部位ごとに対応したアルゴリズムに基づいた処理であり、前記第二の照射野取得方法における画像処理は、撮影部位に限定されないアルゴリズムに基づいた処理であることを特徴とする請求項１０に記載の撮影制御装置。
【請求項１２】
前記照射野情報を入力する入力手段を更に備え、
前記照射野取得手段は、前記第一の照射野取得方法、または、前記第二の照射野取得方法により前記照射野情報を取得できない場合、前記入力された前記照射野情報を、前記放射線撮影における照射野情報として取得することを特徴とする請求項２、３、５、６、８乃至１１のいずれか１項に記載の撮影制御装置。
【請求項１３】
前記放射線撮影における前記撮影情報または予め設定された前記放射線撮影の撮影条件と、前記放射線撮影における照射線量とを対応付けた線量情報テーブルを記憶する記憶する記憶手段を更に備え、
前記面積線量取得手段は、
前記撮影情報または前記撮影条件に基づいて、対応する照射線量を前記線量情報テーブルから取得し、前記取得した照射線量と、前記照射野情報から取得した照射野の面積とに基づいて前記面積線量を取得する
ことを特徴とする請求項１乃至１２のいずれか１項に記載の撮影制御装置。
【請求項１４】
入力手段から放射線撮影後に撮影条件の変更が入力された場合、
前記面積線量取得手段は、変更後の撮影条件に基づいて、前記線量情報テーブルから取得した照射線量と、前記照射野の面積とに基づいて前記面積線量を取得することを特徴とする請求項１３に記載の撮影制御装置。
【請求項１５】
前記照射野取得手段は、変更後の撮影条件を用いた画像処理を実行し、前記照射野情報を取得することを特徴とする請求項１４に記載の撮影制御装置。
【請求項１６】
放射線発生装置から照射された放射線に基づいて放射線撮影された放射線画像を取得する画像取得手段を更に備え、
前記画像取得手段は、前記放射線発生装置からの単一の放射線照射によって複数の放射線撮影装置が撮影した複数の放射線画像を取得し、
前記画像取得手段は、取得した複数の放射線画像を用いて長尺画像を生成することを特徴とする請求項１乃至１５のいずれか１項に記載の撮影制御装置。
【請求項１７】
前記照射野取得手段は、第一の照射野取得方法として、前記複数の放射線画像について前記照射野情報を取得する処理を行い、前記複数の放射線画像のうちいずれか一つの放射線画像について前記照射野情報を取得できない場合、前記第一の照射野取得方法とは異なる第二の照射野取得方法で前記照射野情報を取得することを特徴とする請求項１６に記載の撮影制御装置。
【請求項１８】
前記照射野取得手段は、第一の照射野取得方法として、前記長尺画像について前記照射野情報を取得する処理を行い、前記長尺画像について前記照射野情報を取得できない場合、前記第一の照射野取得方法とは異なる第二の照射野取得方法で前記照射野情報を取得することを特徴とする請求項１６に記載の撮影制御装置。
【請求項１９】
前記面積線量取得手段で取得された前記面積線量を表示手段に表示させる表示制御手段を更に備えることを特徴とする請求項１乃至１８のいずれか１項に記載の撮影制御装置。
【請求項２０】
前記表示制御手段は、前記照射野情報を取得できない場合、前記面積線量を取得できないことを示す報知表示を前記表示手段に表示させる表示制御を行うことを特徴とする請求項１９に記載の撮影制御装置。
【請求項２１】
前記放射線撮影における撮影情報を放射線発生装置から取得する撮影情報取得手段を更に備えることを特徴とする請求項１乃至２０のいずれか１項に記載の撮影制御装置。
【請求項２２】
放射線発生装置および放射線撮影装置を制御する撮影制御装置を有する放射線撮影システムであって、前記撮影制御装置は、
放射線撮影により取得された放射線画像、前記放射線撮影に関する撮影情報、予め設定された前記放射線撮影の照射野情報のうち少なくとも何れか一つに基づいた照射野取得方法により、前記放射線撮影における照射野情報を取得する照射野取得手段と、
前記照射野情報に基づいて、前記放射線撮影における面積線量を取得する面積線量取得手段と、を備え、
前記照射野取得手段は、前記照射野情報を取得できない場合、前記照射野取得方法とは異なる照射野取得方法に基づいて前記照射野情報を取得することを特徴とする放射線撮影システム。
【請求項２３】
撮影制御装置の撮影制御方法であって、
放射線撮影により取得された放射線画像、前記放射線撮影に関する撮影情報、予め設定された前記放射線撮影の照射野情報のうち少なくとも何れか一つに基づいた照射野取得方法により、前記放射線撮影における照射野情報を取得する照射野取得工程と、
前記照射野情報に基づいて、前記放射線撮影における面積線量を取得する面積線量取得工程と、を有し、
前記照射野取得工程では、前記照射野情報を取得できない場合、前記照射野取得方法とは異なる照射野取得方法に基づいて前記照射野情報を取得することを特徴とする撮影制御方法。
【請求項２４】
コンピュータに、請求項２３に記載の撮影制御方法の各工程を実行させるプログラム。
【発明の詳細な説明】
【技術分野】
【０００１】
本発明は、撮影制御装置、放射線撮影システム、撮影制御方法及びプログラムに関する。
【背景技術】
【０００２】
近年では、被写体の放射線被ばく線量管理への重要性の認識により、面積線量の表示が求められている。面積線量は面積線量計を装着することにより計測することが可能であるが、面積線量計の装着によるコスト増を抑えるために、あるいは、面積線量計の装着が困難な放射線撮影システムのために、面積線量計を取り付けることなく、線量の算出が可能な放射線撮影システムが提案されている。特許文献１には、面積線量を算出するために、Ｎｏｎ  Ｄｏｓｉｍｅｔｅｒ  Ｄｏｓｉｍｅｔｒｙ（ＮＤＤ）法などの線量簡易換算法を利用する構成が開示されている。
【先行技術文献】
【特許文献】
【０００３】
【特許文献１】特許第３１３３７４１号公報
【発明の概要】
【発明が解決しようとする課題】
【０００４】
しかしながら、ＮＤＤ法などの線量簡易換算法を用いて面積線量を取得する場合、撮影時にコリメータを調節すると、放射線発生装置から放射線が照射された領域（以下、「照射野」）の情報、すなわち、コリメータの情報をリアルタイムで取得できず、実行された放射線撮影に対応する面積線量を取得することができない場合が生じ得る。
【０００５】
本発明は、実行された放射線撮影における照射野情報に基づいて面積線量を取得することが可能な技術の提供を目的とする。
【課題を解決するための手段】
【０００６】
本発明の一態様による撮影制御装置は以下の構成を備える。すなわち、
撮影制御装置は、放射線撮影により取得された放射線画像、前記放射線撮影に関する撮影情報、予め設定された前記放射線撮影の照射野情報のうち少なくとも何れか一つに基づいた照射野取得方法により、前記放射線撮影における照射野情報を取得する照射野取得手段と、
前記照射野情報に基づいて、前記放射線撮影における面積線量を取得する面積線量取得手段と、を備え、
前記照射野取得手段は、前記照射野情報を取得できない場合、前記照射野取得方法とは異なる照射野取得方法に基づいて前記照射野情報を取得することを特徴とする。
【発明の効果】
【０００７】
本発明によれば、実行された放射線撮影における照射野情報に基づいて面積線量を取得することが可能になる。
【図面の簡単な説明】
【０００８】
【図１】第１実施形態における放射線撮影システムの構成を例示した図。
【図２】第１実施形態に係る処理の流れを説明する図。
【図３】第１実施形態に係る処理の流れを説明する図。
【図４】第１実施形態に係る処理の流れを説明する図。
【図５】第１実施形態に係る処理の流れを説明する図。
【図６】第一の照射野取得方法、第二の照射野取得方法及び第三の照射野取得方法の処理内容を例示した図。
【図７】第２実施形態における放射線撮影システムの構成を例示した図。
【図８】第２実施形態に係る処理の流れを説明する図。
【図９】第２実施形態に係る処理の流れを説明する図。
【図１０】第２実施形態に係る処理の流れを説明する図。
【図１１】第３実施形態における放射線撮影システムの構成を例示した図。
【図１２】第３実施形態に係る処理の流れを説明する図。
【発明を実施するための形態】
【０００９】
以下、図面を参照して、本発明の実施形態を例示的に詳しく説明する。ただし、この実施形態に記載されている構成要素はあくまで例示であり、以下の個別の実施形態によって限定されるわけではない。尚、放射線には、Ｘ線の他、α線、β線、γ線、及び各種粒子線なども含まれる。
【００１０】
［第１実施形態］
図１は第１実施形態における放射線撮影システムの構成を例示した図である。放射線撮影システムは、放射線発生装置１０２および放射線撮影装置１０３を制御する撮影制御装置１０１を有する。撮影制御装置１０１は、放射線発生装置１０２及び放射線撮影装置１０３（放射線検出器）と通信し、放射線撮影を制御する。放射線撮影装置１０３は、撮影制御装置１０１からの指示により撮影可能状態へと遷移し、放射線発生装置１０２と同期を取りながら放射線撮影を行う。
【００１１】
放射線発生装置１０２は、撮影条件に基づいて放射線を照射する。放射線発生装置１０２から照射された放射線により被写体は照射される。放射線撮影装置１０３は、放射線発生装置１０２から照射された放射線を検出し、放射線画像データを出力する。すなわち、放射線撮影装置１０３は、放射線発生装置１０２から照射され、被写体を透過して入射する放射線を検出し、放射線画像データを生成する。
【００１２】
撮影制御装置１０１は、機能構成として、撮影制御部１１１、撮影条件設定部１１２、撮影情報取得部１１３、画像取得部１１４、照射野取得部１１５、面積線量取得部１１６、表示制御部１１７を有する。
【００１３】
撮影制御部１１１は、撮影制御装置１０１の全体的な動作制御を行うと共に、機能構成である撮影制御装置１０１の各部、すなわち、撮影条件設定部１１２、撮影情報取得部１１３、画像取得部１１４、照射野取得部１１５、面積線量取得部１１６、表示制御部１１７の動作を制御することが可能である。
【００１４】
撮影条件設定部１１２は、放射線発生装置１０２や放射線撮影装置１０３に対して、撮影に使用する管電圧や管電流、照射時間など撮影条件に関する事前設定を行う。
【００１５】
撮影情報取得部１１３は、実際の放射線撮影における撮影情報を放射線発生装置１０２から取得することが可能である。例えば、撮影情報取得部１１３は、放射線撮影における撮影情報（管電圧や管電流、照射時間、ｍＡｓ値、放射線発生装置１０２と被写体との距離（ＳＯＤ（Source-to-Object  Distance））など）を、放射線発生装置１０２や撮影制御装置１０１に保持された情報から取得する。尚、撮影情報としては、ＳＯＤの他、放射線発生装置１０２と放射線撮影装置１０３（放射線検出器）の検出面との距離である、ＳＩＤ（Source  to  Image  Distance）を用いてもよい。
【００１６】
そして、画像取得部１１４は、放射線発生装置１０２から照射された放射線に基づいて放射線撮影された放射線画像を取得する。すなわち、画像取得部１１４は、放射線撮影装置１０３で生成された放射線画像データを放射線撮影装置１０３から取得する。
【００１７】
照射野取得部１１５は、放射線撮影により取得された放射線画像、放射線撮影に関する撮影情報、予め設定された放射線撮影の照射野情報のうち少なくとも何れか一つに基づいた照射野取得方法により、放射線撮影における照射野情報を取得する。照射野取得部１１５は、照射野情報を取得できない場合、照射野取得方法とは異なる照射野取得方法に基づいて照射野情報を取得することが可能である。
【００１８】
面積線量取得部１１６は、照射野情報に基づいて、放射線撮影における面積線量を取得する。すなわち、面積線量取得部１１６は、照射野取得部１１５で取得された照射野の情報に基づいて、照射野の面積を取得する。そして、面積線量取得部１１６は、撮影情報取得部１１３で取得された撮影情報に基づいて、ＮＤＤ法などの線量簡易取得法を用いて面積線量を取得する。
【００１９】
線量簡易取得法では、例えば、事前に照射線量を測定することで、管電圧および管電流など、放射線撮影における撮影情報または予め設定された放射線撮影の撮影条件と、放射線撮影における照射線量とを対応付けた線量情報テーブルを作成しておき、線量情報テーブルは、例えば、撮影制御装置１０１の内部に設けられた記憶部１２０に記憶される。面積線量取得部１１６は照射線量を取得する際に、記憶部１２０に記憶されている線量情報テーブルを参照して、撮影情報に対応する照射線量の情報を取得する。面積線量取得部１１６は、撮影情報に基づいて対応する照射線量を線量情報テーブルから取得し、取得した照射線量と、照射野情報から取得した照射野の面積とに基づいて面積線量を取得する。
【００２０】
面積線量取得部１１６は、撮影情報、および被写体（検出位置）と放射線発生装置１０２との距離に基づいて、例えば、ＮＤＤ法を用いて、その検出位置における照射線量を取得することが可能である。線量の検出位置を被写体とすれば、放射線発生装置１０２と被写体までの距離であるＳＯＤを用いることが可能である。また、線量の検出位置を放射線撮影装置１０３（放射線検出器）の検出面とすれば、放射線発生装置１０２と放射線撮影装置１０３の検出面までの距離であるＳＩＤを用いることが可能である。
【００２１】
面積線量取得部１１６は、実際に被写体へ放射線が照射された際の撮影情報と、放射線発生装置１０２と被写体との距離とに基づいて、被写体（検出位置）の照射線量を取得する。面積線量取得部１１６は、照射野の面積と、取得した照射線量に基づいて面積線量を取得する。例えば、取得した照射線量に照射野の面積を乗算することで面積線量を取得することができる。
【００２２】
表示制御部１１７は、面積線量取得部１１６で取得された面積線量を表示部１０４に表示させる表示制御を行う。
【００２３】
（画像処理またはプリセットされた照射野情報を用いる処理）
図２は、第１実施形態に係る処理の流れを説明する図であり、面積線量を取得し、取得した面積線量を表示する処理の流れを説明するフローチャートである。本実施形態では、線量簡易取得法として、ＮＤＤ法を用いた例に基づいて説明しているが他の線量取得方法を用いることも可能である。
【００２４】
図２のフローチャートにおいて、照射野取得部１１５は、第一の照射野取得方法として、放射線画像に対する画像処理を行い（Ｓ１０３）、画像処理では照射野情報を取得できない場合、第二の照射野取得方法として、撮影条件に含まれる情報（撮影条件として予め設定された放射線撮影の照射野情報）に基づいて、放射線撮影における照射野情報を取得する（Ｓ１０５）。照射野取得部１１５は、放射線撮影の撮影条件に含まれる情報として予め設定された照射野情報が含まれている場合、すなわち、プリセットされた照射野情報が含まれている場合、予め設定された照射野情報を、放射線撮影における照射野情報として取得する。
【００２５】
尚、この処理は例示的なものであり、第一の照射野取得方法の画像処理と、第二の照射野取得方法の撮影条件に含まれる情報（撮影条件として予め設定された放射線撮影の照射野情報）に基づく処理を入れ替えてもよい。例えば、照射野取得部１１５は、第一の照射野取得方法として、撮影条件として予め設定された放射線撮影の照射野情報に基づいて、放射線撮影における照射野情報を取得する取得処理を行い（Ｓ１０３）、照射野情報が予め設定されておらず、ステップＳ１０３の取得処理では照射野情報を取得できない場合、第二の照射野取得方法として、放射線画像に対する画像処理に基づいて、照射野情報を取得する（Ｓ１０５）ことも可能である。
【００２６】
以下、図２のフローチャートの流れを説明する。ステップＳ１０１において、画像取得部１１４は、放射線撮影装置１０３から放射線画像を取得する。
【００２７】
ステップＳ１０２において、撮影情報取得部１１３は、放射線撮影における撮影情報として、例えば、管電圧、管電流、照射時間、ｍＡｓ値などを放射線発生装置１０２から取得する。また、撮影情報取得部１１３は、ＳＯＤを撮影制御装置１０１に事前に設定された情報から取得する。
【００２８】
本実施形態では、ＳＯＤを撮影制御装置１０１に事前に設定された情報から取得する例を説明したが、この例に限られず、撮影情報取得部１１３は、撮影情報として、例えば、放射線発生装置１０２からＳＩＤを取得してもよい。
【００２９】
ステップＳ１０３において、照射野取得部１１５は、取得した放射線画像に対して第一の照射野取得方法を適用し、放射線撮影における照射野を取得する。第一の照射野取得方法として種々の方法を適用することが可能であるが、ここでは第一の照射野取得方法として画像処理を用いた例を説明する。照射野取得部１１５は、放射線画像を取り込み、放射線画像を走査して、放射線が照射された領域（照射野）を認識するための画像処理を実行する。
【００３０】
被写体を透過した放射線は、被写体を透過していない放射線に比べて相対的に弱くなる。この特性に基づいて、照射野取得部１１５は、放射線画像において、被写体を透過した領域（以下、「被写体領域」）と、放射線が放射線撮影装置１０３（センサ）に直接照射された領域（以下、「素抜け領域」）とを区別して認識することが可能である。
【００３１】
照射野取得部１１５は、画像処理に基づいて、例えば、取得した放射線画像から素抜け領域を画素値から認識し、放射線画像から素抜け領域を除外した領域を被写体領域として取得することが可能である。また、照射野取得部１１５は、画像処理により取得した放射線画像の画素値に基づいて、被写体領域もしくは照射野情報を取得することが可能である。
【００３２】
第一の照射野取得方法における画像処理の解析アルゴリズムは、撮影部位ごとに対応するアルゴリズムである。この解析アルゴリズムによる画像処理を実行する際に、照射野取得部１１５は、被写体の撮影部位（関心領域）を放射線画像から認識し、認識した被写体の撮影部位の情報を第一の照射野取得方法に用いることが可能である。また、照射野取得部１１５は、撮影条件設定部１１２で事前に設定した部位情報を用いて画像処理を実行し、照射野情報を取得することも可能である。また、照射野取得部１１５は、画像処理に基づいて、放射線画像から被写体のエッジ部分を認識した形状情報に基づいて、照射野情報を取得することも可能である。
【００３３】
ステップＳ１０４において、照射野取得部１１５は、ステップＳ１０３の画像処理により照射野情報を取得できたか判定する。第一の照射野取得方法として画像処理を用いた場合、判定条件として、以下のような条件にあてはまる場合、照射野取得部１１５は、第一の照射野取得方法では、照射野情報を取得できないと判定する。
【００３４】
画像処理を用いた場合、画像処理がどのような手法であったとしても、少なからず照射野を正確に取得できない場合が存在し得る。例えば、素抜け領域を画素値から一定面積認識できなかった場合、照射野もしくは被写体領域を画素値から一定面積認識できなかった場合、放射線画像において、被写体の撮影部位が特定できなかった場合、事前に設定した部位情報と放射線画像から特定した部位情報が異なる場合、放射線画像において被写体のエッジが特定できなかった場合、エッジから特定した被写体が一定面積認識できなかった場合、あるいは、操作者が想定した被写体の照射野と異なると判定した場合など、種々の判定条件が挙げられる。
【００３５】
ステップＳ１０４の判定で、照射野情報を取得できた場合（Ｓ１０４−Ｙｅｓ）、照射野取得部１１５は処理をステップＳ１０６に進める。一方、ステップＳ１０４の判定で、照射野情報を取得できない場合（Ｓ１０４−Ｎｏ）、照射野取得部１１５は処理をステップＳ１０５に進める。
【００３６】
ステップＳ１０５において、照射野取得部１１５は第二の照射野取得方法に基づいて照射野情報を取得する。ここでは第二の照射野取得方法として、照射野取得部１１５は、放射線撮影で使用する照射野を撮影前に予めプリセットしておいた照射野情報を使用する。そして、照射野取得部１１５は、処理をステップＳ１０６に進める。
【００３７】
ステップＳ１０６において、面積線量取得部１１６は、ステップ１０３またはステップＳ１０５で取得した照射野情報に基づいて照射野の面積を取得する。そして、面積線量取得部１１６は、撮影情報取得部１１３が取得した撮影情報をもとに、ＮＤＤ法などの線量簡易取得法を用いて面積線量を取得する。面積線量取得部１１６は、照射野の面積と、線量簡易取得法を用いて取得した照射線量とに基づいて面積線量を取得する。例えば、取得した照射線量に照射野の面積を乗算することで面積線量を取得することができる。
【００３８】
ステップＳ１０７において、表示制御部１１７は、ステップＳ１０６で取得された面積線量を表示部に表示させる表示制御を行う。
【００３９】
（画像処理または放射線発生装置のコリメータ情報を用いる処理）
図３は、第１実施形態に係る処理の流れを説明する図であり、面積線量を取得し、取得した面積線量を表示する処理の流れを説明するフローチャートである。
【００４０】
図３のフローチャートにおいて、照射野取得部１１５は、第一の照射野取得方法として、放射線画像に対する画像処理を行い（Ｓ１０３）、画像処理では照射野情報を取得できない場合、第二の照射野取得方法として、撮影情報に含まれる情報に基づいて、照射野情報を取得する（Ｓ１０５）。すなわち、照射野取得部１１５は、撮影情報に含まれる放射線発生装置のコリメータ情報に基づいて、照射野情報を取得する（Ｓ１０５）。
【００４１】
図２で説明したフローチャートでは、第二の照射野取得方法（Ｓ１０５）において、撮影前に本撮影に使用する照射野情報としてプリセットしておいた照射野情報を使用する方法を例として使用したが、図３においては、プリセットしておいた照射野情報（図２のＳ１０５）に代わり、照射野取得部１１５は、放射線発生装置１０２からコリメータ情報を取得する（Ｓ１０８）。
【００４２】
尚、この処理は例示的なものであり、第一の照射野取得方法の画像処理と、第二の照射野取得方法の撮影情報に含まれる情報に基づく処理を入れ替えてもよい。例えば、照射野取得部１１５は、第一の照射野取得方法として、撮影情報に含まれる情報に基づいて、照射野情報を取得する取得処理を行い（Ｓ１０３）、ステップＳ１０３の取得処理では照射野情報を取得できない場合、第二の照射野取得方法として、放射線画像に対する画像処理に基づいて、照射野情報を取得する（Ｓ１０５）ことも可能である。
【００４３】
以下、図３のフローチャートの流れを説明する。図３のフローチャートにおいて、図２のフローチャートと同様の処理については、同一のステップ番号を付し、重複する処理内容については説明を簡略化する。
【００４４】
ステップＳ１０１〜ステップＳ１０３の処理は図２の処理の流れと同様である。そして、ステップＳ１０４の判定で、照射野情報を取得できた場合（Ｓ１０４−Ｙｅｓ）、照射野取得部１１５は処理をステップＳ１０６に進める。一方、ステップＳ１０４の判定で、照射野情報を取得できない場合（Ｓ１０４−Ｎｏ）、照射野取得部１１５は処理をステップＳ１０８に進める。
【００４５】
ステップＳ１０８において、照射野取得部１１５は、第二の照射野取得方法に基づいて照射野情報を取得する。ここでは第二の照射野取得方法として、照射野取得部１１５は、放射線発生装置１０２から撮影終了後にコリメータ情報を取得する。照射野取得部１１５は、放射線発生装置１０２から取得したコリメータ情報に基づいて照射野情報を取得することができる。照射野取得部１１５は、コリメータ情報と、放射線発生装置１０２と放射線撮影装置１０３の検出面までの距離であるＳＩＤとを用いることにより、照射野情報を推定することができる。そして、照射野取得部１１５は、処理をステップＳ１０６に進める。
【００４６】
尚、第二の照射野取得方法として、例えば、操作者が入力部を操作して、調整（手入力）された情報に基づいて、照射野取得部１１５は照射野情報を設定することも可能である。例えば、入力部の操作により、放射線撮影装置１０３の全面（有効画素領域）を照射野として設定することも可能である。また、照射野取得部１１５はデフォルト値に基づいて、照射野情報を取得することも可能である。
【００４７】
そして、ステップＳ１０６において、面積線量取得部１１６は、ステップ１０３またはステップＳ１０８で取得した照射野情報に基づいて照射野の面積を取得する。そして、面積線量取得部１１６は、照射野の面積と、線量簡易取得法を用いて取得した照射線量とに基づいて面積線量を取得する。
【００４８】
ステップＳ１０７において、表示制御部１１７は、ステップＳ１０６で取得された面積線量を表示部に表示させる表示制御を行う。
【００４９】
（照射野情報を取得できない場合の報知表示）
次に、照射野情報を取得できない場合、面積線量を取得できないことを示す報知表示を行う構成について説明する。表示制御部１１７は、照射野情報を取得できない場合、面積線量を取得できないことを示す報知表示を表示部１０４に表示させる表示制御を行う。
【００５０】
図４は、第１実施形態に係る処理の流れを説明する図であり、面積線量を取得し、取得した面積線量を表示する処理の流れを説明するフローチャートである。図２で説明したフローチャートでは、第二の照射野取得方法（Ｓ１０５）において、撮影前に本撮影に使用する照射野をプリセットしておいた照射野情報を使用する例を説明した。また、図３で説明したフローチャートでは、第二の照射野取得方法（Ｓ１０８）において、放射線発生装置１０２からコリメータ情報を取得する例を説明した。
【００５１】
図４においては、第一の照射野取得方法（Ｓ１０３）で照射野情報が取得できない場合（Ｓ１０４−Ｎｏ）、第二の照射野取得方法（Ｓ１０５、Ｓ１０８）を実施するのではなく、面積線量を取得できないことを示す報知表示を表示部に表示させる表示制御を行う（Ｓ１０９）。図４のフローチャートにおいて、図２のフローチャートと同様の処理については、同一のステップ番号を付し、重複する処理内容については説明を簡略化する。
【００５２】
ステップＳ１０１〜ステップＳ１０３の処理は図２及び図３の処理の流れと同様である。そして、ステップＳ１０４の判定で、照射野情報を取得できた場合（Ｓ１０４−Ｙｅｓ）、照射野取得部１１５は処理をステップＳ１０６に進める。
【００５３】
ステップＳ１０６において、面積線量取得部１１６は、ステップ１０３で取得した照射野情報に基づいて照射野の面積を取得する。そして、面積線量取得部１１６は、照射野の面積と、線量簡易取得法を用いて取得した照射線量とに基づいて面積線量を取得する。
【００５４】
そして、ステップＳ１０７において、表示制御部１１７は、ステップＳ１０６で取得された面積線量を表示部に表示させる表示制御を行う。
【００５５】
一方、ステップＳ１０４の判定で、照射野情報を取得できない場合（Ｓ１０４−Ｎｏ）、照射野取得部１１５は処理をステップＳ１０９に進める。
【００５６】
ステップＳ１０９において、表示制御部１１７は、面積線量を取得できないことを示す報知表示を表示部に表示させる表示制御を行う。報知表示としては、例えば、エラーメッセージを表示部に表示させたり、「#Ｎ/Ａ」などのように面積線量を算出できなかったことを示す表示が可能である。
【００５７】
ステップＳ１０７の表示制御によれば、実際の撮影に使用された照射野を取得し、正確な面積線量を表示することが可能になる。
【００５８】
一方、ステップＳ１０９の表示制御によれば、ステップＳ１０３（第一の照射野取得方法）で照射野情報を取得できなかった場合に第二の照射野取得方法を実施するのではなく、実際の撮影に使用された照射野情報に基づいて面積線量を取得できないことを操作者に提示することが可能になる。
【００５９】
（異なる画像処理に基づいた処理）
図５は、第１実施形態に係る処理の流れを説明する図であり、面積線量を取得し、取得した面積線量を表示する処理の流れを説明するフローチャートである。
【００６０】
図５のフローチャートにおいて、照射野取得部１１５は、第一の照射野取得方法として放射線画像に対して画像処理を行い（Ｓ１０３）、画像処理では照射野情報を取得できない場合、第二の照射野取得方法として、画像処理のアルゴリズムとは異なる画像処理を行い（Ｓ１１０）、照射野情報を取得する。
【００６１】
図２で説明したフローチャートでは、第二の照射野取得方法（Ｓ１０５）において、撮影前に本撮影に使用する照射野情報としてプリセットしておいた照射野情報を使用する方法を例として使用したが、図５においては、プリセットしておいた照射野情報（図２のＳ１０５）に代わり、照射野取得部１１５は、第一の照射野取得方法で用いた画像処理のアルゴリズムとは別アルゴリズムの画像処理に基づいて、放射線撮影における照射野を取得する（Ｓ１１０、Ｓ１１１）。
【００６２】
第一の照射野取得方法（Ｓ１０３）における画像処理は、撮影部位ごとに対応したアルゴリズムに基づいた処理であり、第二の照射野取得方法（Ｓ１１０）における画像処理は、撮影部位に限定されないアルゴリズムに基づいた処理である。撮影部位ごとに対応したアルゴリズムは、撮影条件に基づいて設定することが可能であり、また、操作者は、例えば、入力部を介して撮影部位ごとに対応したアルゴリズムを選択することも可能である。
【００６３】
以下、図５のフローチャートの流れを説明する。図５のフローチャートにおいて、図２のフローチャートと同様の処理については、同一のステップ番号を付し、重複する処理内容については説明を簡略化する。
【００６４】
ステップＳ１０１〜ステップＳ１０３の処理は図２の処理の流れと同様である。そして、ステップＳ１０４の判定で、照射野情報を取得できた場合（Ｓ１０４−Ｙｅｓ）、照射野取得部１１５は処理をステップＳ１０６に進める。一方、ステップＳ１０４の判定で、照射野情報を取得できない場合（Ｓ１０４−Ｎｏ）、照射野取得部１１５は処理をステップＳ１１０に進める。
【００６５】
ステップＳ１１０において、照射野取得部１１５は、取得した放射線画像に対して第二の照射野取得方法（別アルゴリズムの画像処理）を適用し、放射線撮影における照射野を取得する。
【００６６】
照射野取得部１１５は、放射線画像を取り込み、放射線画像を走査して、放射線が照射された領域（照射野）を認識するための画像処理を実行する。照射野取得部１１５により実行される第二の照射野取得方法における画像処理アルゴリズムは、第一の照射野取得方法の画像処理アルゴリズムとは異なるアルゴリズムである。
【００６７】
第一の照射野取得方法における画像処理（第一の画像処理）は、撮影部位ごとに対応したアルゴリズムに基づいた処理である。この撮影部位ごとに対応したアルゴリズムを用いることにより、より高精度に照射野情報を取得することができる。一方、第二の照射野取得方法における画像処理（第二の画像処理）は、特定の撮影部位に限定されないアルゴリズムに基づいた処理である。撮影部位の相違や撮影条件により、第一の照射野取得方法の画像処理では照射野情報を取得できない場合であっても、第二の照射野取得方法における画像処理を適用することで、照射野の認識率を、より向上させることが可能になる。
【００６８】
そして、ステップＳ１１１において、照射野取得部１１５は、ステップＳ１１０の別アルゴリズムに基づいた画像処理により照射野情報を取得できたか判定する。ステップＳ１１１の判定条件はステップＳ１０４の判定条件と同様である。
【００６９】
ステップＳ１１１の判定で、照射野情報を取得できた場合（Ｓ１１１−Ｙｅｓ）、照射野取得部１１５は処理をステップＳ１０６に進める。一方、ステップＳ１１１の判定で、照射野情報を取得できない場合（Ｓ１１１−Ｎｏ）、照射野取得部１１５は処理をステップＳ１１２に進める。
【００７０】
ステップＳ１１２において、照射野取得部１１５は、第三の照射野取得方法により照射野を設定する。第三の照射野取得方法として、操作者が入力部を操作して、調整（手入力）された情報に基づいて、照射野取得部１１５は照射野情報を設定することが可能である。例えば、入力部の操作により、放射線撮影装置１０３の全面（有効画素領域）を照射野として設定することも可能である。
【００７１】
尚、照射野取得部１１５は、ステップＳ１１２の第三の照射野取得方法として、図２のステップＳ１０５（プリセットしておいた照射野情報）、または図３のステップＳ１０８（放射線発生装置１０２から取得したコリメータ情報）に基づいて照射野情報を取得することも可能である。あるいは、第二の照射野取得方法（Ｓ１１１）で照射野情報が取得できない場合（Ｓ１１１−Ｎｏ）、第三の照射野取得方法を実施するのではなく、図４のステップＳ１０９の処理で説明したように、表示制御部１１７が面積線量を取得できないことを示す報知表示を表示部に表示させる表示制御を行うことも可能である。
【００７２】
図６は、第一の照射野取得方法、第二の照射野取得方法及び第三の照射野取得方法の処理内容を例示した図である。図６における設定６０１は、図２〜図５で説明した各フローチャートの処理に対応するものである。
【００７３】
すなわち、設定６０１では、第一の照射野取得方法として、画像処理に基づく放射線画像の解析に基づいて、照射野取得部１１５は照射野情報を取得する。この場合、第一の照射野取得方法の画像処理により照射野情報を取得できない場合、第二の照射野取得方法として、別アルゴリズムに基づいた画像処理による放射線画像の解析や、放射線発生装置１０２から取得したコリメータ情報、プリセットされた照射野情報、あるいは、操作者が入力部を操作して、調整（手入力）された情報に基づいて、照射野取得部１１５は照射野情報を設定することが可能である。
【００７４】
そして、第二の照射野取得方法において、別アルゴリズムの画像処理に基づいた放射線画像の解析により照射野情報を取得できない場合、第三の照射野取得方法として、操作者が入力部を操作して、調整（手入力）された情報に基づいて、照射野取得部１１５は照射野情報を設定することが可能である。
【００７５】
図２〜図５で説明した各フローチャートの処理では、第一の照射野取得方法として、画像処理を用いる例を説明したが、第一の照射野取得方法として、放射線発生装置１０２のコリメータ情報に基づいて照射野情報を取得してもよい。また、第一の照射野取得方法として、プリセットしておいた照射野情報に基づいて照射野情報を取得してもよい。
【００７６】
照射野取得部１１５は、第一の照射野取得方法として、撮影情報取得部１１３により撮影情報を取得できない場合、第二の照射野取得方法として、放射線画像に対する画像処理または予め設定された照射野情報に基づいて、照射野情報を取得することも可能である。
【００７７】
例えば、図６において、設定６０２では、第一の照射野取得方法として、放射線発生装置１０２から取得したコリメータ情報に基づいて照射野情報を取得する例を示している。この場合、放射線発生装置１０２からコリメータ情報を取得できない場合、第二の照射野取得方法として、画像処理に基づく放射線画像の解析や、プリセットされた照射野情報、あるいは、操作者が入力部を操作して、調整（手入力）された情報に基づいて、照射野取得部１１５は照射野情報を設定することが可能である。
【００７８】
画像処理に基づく放射線画像の解析により照射野情報を取得できない場合、第三の照射野取得方法として、操作者が入力部を操作して、調整（手入力）された情報に基づいて、照射野取得部１１５は照射野情報を設定することが可能である。
【００７９】
また、照射野取得部１１５は、第一の照射野取得方法として、照射野情報が予め設定されていない場合、第二の照射野取得方法として、放射線画像に対する画像処理または放射線撮影に関する撮影情報に含まれる情報に基づいて、照射野情報を取得することも可能である。
【００８０】
例えば、図６の設定６０３では、第一の照射野取得方法として、プリセットされた照射情報に基づいて、照射野取得部１１５は照射野情報を取得する例を示している。この場合、照射野情報がプリセットされていない場合、第二の照射野取得方法として、画像処理に基づく放射線画像の解析や、放射線発生装置１０２から取得したコリメータ情報、あるいは、操作者が入力部を操作して、調整（手入力）された情報に基づいて、照射野取得部１１５は照射野情報を設定することが可能である。
【００８１】
撮影制御装置１０１は照射野情報を入力する入力部を備えており、照射野取得部１１５は、図６に示すように、第一の照射野取得方法、または、第二の照射野取得方法により照射野情報を取得できない場合、入力された照射野情報を、第三の照射野取得方法として、放射線撮影における照射野情報として取得する。すなわち、画像処理に基づく放射線画像の解析により照射野情報を取得できない場合、第三の照射野取得方法として、操作者が入力部を操作して、調整（手入力）された情報に基づいて、照射野取得部１１５は照射野情報を設定することが可能である。
【００８２】
本実施形態によれば、実行された放射線撮影における照射野情報に基づいて面積線量を取得することが可能になる。
【００８３】
（第２実施形態）
第２実施形態では、第１実施形態で説明した撮影制御装置１０１に入力部２０１が接続し、撮影制御装置１０１が入力部２０１からの入力指示に基づいて撮影制御を行う構成について説明する。
【００８４】
第２実施形態では、入力部２０１から放射線撮影後に撮影条件の変更、例えば、撮影条件に含まれる情報として予め設定された放射線撮影の照射野情報の変更が入力された場合、面積線量取得部１１６は、変更後の撮影条件に基づいて、線量情報テーブルから取得した照射線量と、照射野の面積とに基づいて面積線量を取得する。また、照射野取得部１１５は、変更後の撮影条件を用いた画像処理を実行し、照射野情報を取得する。
【００８５】
図７は第２実施形態における放射線撮影システムの構成を例示した図である。撮影制御装置１０１は、放射線発生装置１０２及び放射線撮影装置１０３（放射線検出器）と通信し、放射線撮影を制御する。
【００８６】
第２実施形態における撮影制御装置１０１の構成は第１実施形態と同様であり、撮影制御部１１１は、撮影制御装置１０１を構成する機能構成として、撮影条件設定部１１２、撮影情報取得部１１３、画像取得部１１４、照射野取得部１１５、面積線量取得部１１６、表示制御部１１７の動作を制御することが可能である。撮影制御装置１０１には、入力部２０１が接続し、撮影制御装置１０１の撮影制御部１１１は入力部２０１からの入力指示に基づいて撮影制御を行うことが可能である。以下、主として第１実施形態と相違する点について説明する。
【００８７】
図８は、第２実施形態に係る処理の流れを説明する図であり、面積線量を取得し、取得した面積線量を表示する処理の流れを説明するフローチャートである。第１実施形態では、例えば、図２のフローチャートで、第一の照射野取得方法（Ｓ１０３）で照射野情報が取得できない場合（Ｓ１０４−Ｎｏ）、第二の照射野取得方法（Ｓ１０５）において、撮影前に本撮影に使用する照射野をプリセットしておいた照射野情報を使用する例を説明した。
【００８８】
図８においては、第一の照射野取得方法（Ｓ１０３）で照射野情報が取得できない場合（Ｓ１０４−Ｎｏ）、入力部２０１より照射野情報を設定する（Ｓ２０１）。図８のフローチャートにおいて、図２のフローチャートと同様の処理については、同一のステップ番号を付し、重複する処理内容については説明を簡略化する。
【００８９】
ステップＳ１０１〜ステップＳ１０３の処理は図２の処理の流れと同様である。そして、ステップＳ１０４の判定で、照射野情報を取得できた場合（Ｓ１０４−Ｙｅｓ）、照射野取得部１１５は処理をステップＳ１０６に進める。
【００９０】
一方、ステップＳ１０４の判定で、照射野情報を取得できない場合（Ｓ１０４−Ｎｏ）、照射野取得部１１５は処理をステップＳ２０１に進める。
【００９１】
ステップＳ２０１において、照射野取得部１１５は、入力部２０１から入力された照射野情報を設定する。入力部２０１は、例えば、マウスやキーボードなどの入力機器により構成されており、操作者は入力部２０１から照射野情報を入力することが可能である。本ステップにおいて、操作者が入力部２０１を操作して、入力された情報に基づいて、照射野取得部１１５は照射野情報を設定することが可能である。
【００９２】
そして、ステップＳ１０６において、面積線量取得部１１６は、ステップ１０３またはステップＳ２０１で取得した照射野情報に基づいて照射野の面積を取得する。そして、面積線量取得部１１６は、照射野の面積と、線量簡易取得法を用いて取得した照射線量とに基づいて面積線量を取得する。
【００９３】
ステップＳ１０７において、表示制御部１１７は、ステップＳ１０６で取得された面積線量を表示部に表示させる表示制御を行う。
【００９４】
図９は、第２実施形態に係る処理の流れを説明するフローチャートである。図９は、撮影時のフローチャートではなく、放射線撮影後に入力部２０１より撮影条件を変更した場合（ステップＳ２０２）に、変更後の撮影条件に基づいて、面積線量を取得し、取得した面積線量を表示する処理の流れを説明するフローチャートである。
【００９５】
まず、ステップＳ２０２において、操作者が入力部２０１を操作して、撮影条件を変更する。面積線量取得部１１６は、入力部２０１から入力された変更後の撮影条件を取得する。
【００９６】
撮影条件（例えば、部位情報・ＳＯＤなど）を変更する理由としては、例えば、事前に設定した撮影部位を示す部位情報が誤っていた場合や、急遽異なる撮影条件で撮影を実施した場合などがある。ＮＤＤ方式など線量簡易取得法などを用いる場合、撮影条件が変更されると面積線量を再取得する必要があるため、以下のステップＳ１０６で面積線量を再取得し、ステップＳ１０７にて表示する。
【００９７】
ステップＳ１０６において、面積線量取得部１１６は、ステップ１０３またはステップＳ２０１で取得した照射野情報に基づいて照射野の面積を取得する。そして、面積線量取得部１１６は、入力部２０１から入力された変更後の撮影条件をもとに、記憶部１２０に記憶されている線量情報テーブルを参照して、変更された撮影条件に対応する照射線量の情報を取得する。そして、面積線量取得部１１６は、照射野の面積と、取得した照射線量に基づいて面積線量を取得する。
【００９８】
ステップＳ１０７において、表示制御部１１７は、ステップＳ１０６で取得された面積線量を表示部に表示させる表示制御を行う。
【００９９】
本実施形態によれば、放射線撮影後において、撮影条件が変更される場合であっても、変更後の撮影条件に基づいて、面積線量を取得し、表示することが可能になる。
【０１００】
放射線撮影時において、図８のステップＳ１０３で、照射野取得部１１５が、事前に設定された部位情報を用いて画像処理を実行して照射野情報を取得している場合、照射野取得部１１５は、放射線撮影後に変更された撮影条件（例えば、部位情報など）に基づいて、照射野情報を設定した部位情報を用いて画像処理を実行し、照射野情報を取得することが必要となる。
【０１０１】
図１０は、第２実施形態に係る処理の流れを説明する図であり、変更された撮影条件に基づいて面積線量を取得し、取得した面積線量を表示する処理の流れを説明するフローチャートである。
【０１０２】
図１０のフローチャートでは、ステップＳ２０２で撮影条件が変更された場合、変更された撮影条件に基づいて、図８のステップＳ１０３以降の処理を再度実行し、変更された撮影条件に基づいて面積線量を取得し、取得した面積線量を表示する処理の流れを説明している。
【０１０３】
まず、ステップＳ２０２において、操作者が入力部２０１を操作して、撮影条件を変更する。照射野取得部１１５及び面積線量取得部１１６は、入力部２０１から入力された変更後の撮影条件を取得する。
【０１０４】
ステップＳ１０３において、照射野取得部１１５は、取得した放射線画像に対して、第一の照射野取得方法を適用し、放射線撮影における照射野を取得する。第一の照射野取得方法として種々の方法を適用することが可能であるが、ここでは第一の照射野取得方法として画像処理を用いた例を説明する。
【０１０５】
照射野取得部１１５は、放射線画像を取り込み、放射線画像を走査して、放射線が照射された領域（照射野）を認識するための画像処理を実行する。画像処理を実行する際に、照射野取得部１１５は、変更された撮影条件（例えば、部位情報）を用いて画像処理を実行し、照射野情報を取得する。
【０１０６】
そして、ステップＳ１０４の判定で、先のステップＳ１０３の処理により照射野情報を取得できた場合（Ｓ１０４−Ｙｅｓ）、照射野取得部１１５は処理をステップＳ１０６に進める。
【０１０７】
一方、ステップＳ１０４の判定で、照射野情報を取得できない場合（Ｓ１０４−Ｎｏ）、照射野取得部１１５は処理をステップＳ２０１に進める。
【０１０８】
ステップＳ２０１において、照射野取得部１１５は、第二の照射野取得方法として、入力部２０１から入力された照射野情報を設定する。操作者が入力部２０１を操作して、入力された情報に基づいて、照射野取得部１１５は照射野情報を設定することが可能である。
【０１０９】
そして、ステップＳ１０６において、面積線量取得部１１６は、ステップ１０３またはステップＳ２０１で取得した照射野情報に基づいて照射野の面積を取得する。そして、面積線量取得部１１６は、照射野の面積と、線量簡易取得法を用いて取得した照射線量とに基づいて面積線量を取得する。
【０１１０】
ステップＳ１０７において、表示制御部１１７は、ステップＳ１０６で取得された面積線量を表示部に表示させる表示制御を行う。
【０１１１】
尚、本フローチャートでは、ステップＳ１０４の判定で、照射野情報を取得できない場合、第二の照射野取得方法として、照射野取得部１１５は、入力部２０１から入力された情報に基づいて照射野情報を設定する例を示しているが（Ｓ２０１）、第二の照射野取得方法として、他の設定方法を用いることも可能である。
【０１１２】
第二の照射野取得方法として、例えば、図２で説明したように、第二の照射野取得方法として、撮影前に本撮影に使用する照射野をプリセットしておいた照射野情報を使用してもよい（Ｓ１０５）。
【０１１３】
また、図３で説明したように、第二の照射野取得方法として、放射線発生装置１０２からコリメータ情報に基づいて照射野情報を取得してもよい（Ｓ１０８）。あるいは、図４で説明したように、第一の照射野取得方法（Ｓ１０３）で照射野情報が取得できない場合、面積線量を取得できないことを示す報知表示を表示部に表示させる表示制御を行うことも可能である（Ｓ１０９）。
【０１１４】
また、図５で説明したように、取得した放射線画像に対して第二の照射野取得方法（別アルゴリズムの画像処理）を適用し、放射線撮影における照射野を取得することも可能である（Ｓ１１０）。そして、二の照射野取得方法（別アルゴリズムの画像処理）を適用しても、照射野情報を取得できない場合（Ｓ１１１−Ｎｏ）、第三の照射野取得方法として、照射野取得部１１５は、図１０のステップＳ２０１の処理に基づく情報、すなわち、入力部２０１から入力された情報に基づいて照射野情報を設定することも可能である（Ｓ２０１）。
【０１１５】
本実施形態によれば、放射線撮影後において、撮影条件が変更される場合であっても、変更後の撮影条件に基づいて取得した照射野情報及び照射線量から、面積線量を取得し、表示することが可能になる。
【０１１６】
[第３実施形態]
第１実施形態及び第２実施形態では、放射線撮影装置１０３が単一の場合の放射線撮影システムの構成例について説明した。第３実施形態では、複数の放射線撮影装置含み、長尺撮影など複数の放射線撮影装置に同時に放射線発生装置１０２から放射線を照射することにより、長尺撮影を行うことが可能な放射線撮影システムの構成を説明する。
【０１１７】
第３実施形態では、画像取得部１１４は、放射線発生装置１０２からの単一の放射線照射によって複数の放射線撮影装置１０３、３０１が撮影した複数の放射線画像を取得し、画像取得部１１４は、取得した複数の放射線画像を用いて長尺画像を生成する。
【０１１８】
図１１は、第３実施形態における放射線撮影システムの構成を例示した図である。撮影制御装置１０１は、放射線発生装置１０２及び放射線撮影装置１０３（放射線検出器）及び放射線撮影装置３０１（放射線検出器）と通信し、放射線撮影を制御する。放射線撮影装置１０３及び放射線撮影装置３０１は、撮影制御装置１０１からの指示により撮影可能状態へと遷移し、放射線発生装置１０２と同期を取りながら放射線撮影を行う。
【０１１９】
図１１に示す放射線撮影システムの構成は、第２実施形態の放射線撮影システムの構成（図７）に対して、放射線撮影装置３０１が追加された構成になっている。尚、複数の放射線撮影装置１０３、３０１の構成は、例示的なものであり、３以上の放射線撮影装置により長尺撮影を行うことも可能である。
【０１２０】
放射線発生装置１０２から複数の放射線撮影装置１０３、３０１（放射線検出器）に向け照射された放射線は、被写体を透過して複数の放射線撮影装置１０３、３０１（放射線検出器）に到達して同時に検出される。
【０１２１】
画像取得部１１４は、放射線発生装置１０２からの単一の放射線照射によって複数の放射線撮影装置１０３、３０１が撮影した複数の放射線画像を取得する。画像取得部１１４は、取得した複数の放射線画像を用いて長尺画像を生成することが可能である。
【０１２２】
照射野取得部１１５は、放射線撮影における照射野情報を取得する。照射野取得部１１５は、複数の放射線撮影装置１０３、３０１のうち各放射線撮影装置で撮影された放射線画像に基づいて、放射線撮影における照射野情報を取得することが可能である。また、照射野取得部１１５は、複数の放射線撮影装置１０３、３０１で撮影された複数の放射線画像を用いて長尺画像に基づいて、放射線撮影における照射野情報を取得することも可能である。
【０１２３】
照射野取得部１１５は、撮影条件設定部１１２により設定された撮影条件、または撮影情報取得部１１３で取得された撮影情報を用いて、照射野情報を取得することも可能である。
【０１２４】
面積線量取得部１１６は、照射野取得部１１５で取得された照射野の情報に基づいて、照射野の面積を取得する。そして、面積線量取得部１１６は、撮影情報取得部１１３で取得された撮影情報または撮影条件設定部１１２により設定された撮影条件に基づいて、ＮＤＤ法などの線量簡易取得法を用いて面積線量を取得する。
【０１２５】
図１２は、第３実施形態に係る処理の流れを説明する図であり、面積線量を取得し、取得した面積線量を表示する処理の流れを説明するフローチャートである。照射野取得部１１５は、第一の照射野取得方法として、複数の放射線画像について照射野情報を取得する処理を行い（Ｓ３０２）、複数の放射線画像のうちいずれか一つの放射線画像について照射野情報を取得できない場合（Ｓ１０４−Ｎｏ）、第一の照射野取得方法とは異なる第二の照射野取得方法で照射野情報を取得する（Ｓ２０１）。
【０１２６】
以下の図１２では、複数の放射線画像についてそれぞれ処理を行う例を説明しているが、複数の放射線画像を合成した長尺画像を一つの放射線画像として処理することも可能である。
【０１２７】
すなわち、照射野取得部１１５は、第一の照射野取得方法として、長尺画像について照射野情報を取得する処理を行い（Ｓ３０２）、長尺画像について照射野情報を取得できない場合（Ｓ１０４−Ｎｏ）、第一の照射野取得方法とは異なる第二の照射野取得方法で照射野情報を取得する（Ｓ２０１）ことも可能である。
【０１２８】
以下、図１２のフローチャートの流れを説明する。ステップＳ３０１において、画像取得部１１４は、放射線発生装置１０２からの単一の放射線照射によって複数の放射線撮影装置１０３、３０１が撮影した複数の放射線画像を取得する。
【０１２９】
ステップＳ１０２において、撮影情報取得部１１３は、放射線撮影における撮影情報として、例えば、管電圧、管電流、照射時間、ｍＡｓ値などを放射線発生装置１０２から取得する。また、撮影情報取得部１１３は、ＳＯＤを撮影制御装置１０１に事前に設定された情報から取得する。
【０１３０】
そして、ステップＳ３０２において、照射野取得部１１５は、取得した複数の放射線画像に対して第一の照射野取得方法を適用し、放射線撮影における照射野を取得する。本実施形態においても、第一の照射野取得方法として種々の方法を適用することが可能である。
【０１３１】
例えば、図６に示すように、第一の照射野取得方法として画像処理を用いることも可能である（設定６０１）。あるいは、放射線発生装置１０２から取得したコリメータ情報に基づいて照射野情報を取得することも可能である（設定６０２）。また、撮影前に本撮影に使用する照射野をプリセットしておいた照射野情報を使用することも可能である（設定６０３）。
【０１３２】
そして、ステップＳ１０４の判定で、先のステップＳ１０３の処理により、複数の放射線画像について照射野情報を取得できた場合（Ｓ１０４−Ｙｅｓ）、照射野取得部１１５は処理をステップＳ１０６に進める。一方、ステップＳ１０４の判定で、複数の放射線画像のうち少なくともいずれか一つの放射線画像について、照射野情報を取得できない場合（Ｓ１０４−Ｎｏ）、照射野取得部１１５は処理をステップＳ２０１に進める。
【０１３３】
尚、ステップＳ１０４の判定では、複数の放射線画像についてそれぞれ照射野情報を取得できたか判定しているが、照射野取得部１１５は、複数の放射線画像から生成した長尺画像について照射野情報を取得できたか判定することも可能である。
【０１３４】
ステップＳ２０１において、照射野取得部１１５は、第二の照射野取得方法として、入力部２０１から入力された照射野情報を設定する。操作者が入力部２０１を操作して、入力された情報に基づいて、照射野取得部１１５は照射野情報を設定することが可能である。
【０１３５】
そして、ステップＳ１０６において、面積線量取得部１１６は、ステップ１０３またはステップＳ２０１で取得した照射野情報に基づいて照射野の面積を取得する。そして、面積線量取得部１１６は、照射野の面積と、線量簡易取得法を用いて取得した照射線量とに基づいて面積線量を取得する。
【０１３６】
面積線量取得部１１６は、複数の放射線画像について取得された複数の面積線量を合計することにより、長尺画像に対する面積線量を取得する。長尺画像が２枚の放射線画像から合成された画像であれば、面積線量取得部１１６は、長尺画像を構成する２枚の放射線画像における２つの面積線量を合計する。
【０１３７】
面積線量取得部１１６は、照射野の面積を取得するために、複数の放射線撮影装置１０３、３０１の空間的な配置により生じる重複部分を除いて面積を取得することが可能である。重複部分は、例えば、複数の放射線撮影装置１０３、３０１の位置情報に基づいて取得することが可能である。
【０１３８】
ステップＳ１０７において、表示制御部１１７は、ステップＳ１０６で取得された面積線量を表示部に表示させる表示制御を行う。
【０１３９】
尚、図１２のフローチャートでは、ステップＳ１０４の判定で、照射野情報を取得できない場合、第二の照射野取得方法として、照射野取得部１１５は、入力部２０１から入力された情報に基づいて照射野情報を設定する例を示しているが（Ｓ２０１）、第二の照射野取得方法として、他の設定方法を用いることも可能である。
【０１４０】
第二の照射野取得方法として、例えば、図２で説明したように、第二の照射野取得方法として、撮影前に本撮影に使用する照射野をプリセットしておいた照射野情報を使用してもよい（Ｓ１０５）。
【０１４１】
また、図３で説明したように、第二の照射野取得方法として、放射線発生装置１０２からコリメータ情報に基づいて照射野情報を取得してもよい（Ｓ１０８）。あるいは、図４で説明したように、第一の照射野取得方法（Ｓ１０３）で照射野情報が取得できない場合、面積線量を取得できないことを示す報知表示を表示部に表示させる表示制御を行うことも可能である（Ｓ１０９）。
【０１４２】
また、図５で説明したように、取得した放射線画像に対して第二の照射野取得方法（別アルゴリズムの画像処理）を適用し、放射線撮影における照射野を取得することも可能である（Ｓ１１０）。そして、二の照射野取得方法（別アルゴリズムの画像処理）を適用しても、照射野情報を取得できない場合（Ｓ１１１−Ｎｏ）、第三の照射野取得方法として、照射野取得部１１５は、図１０のステップＳ２０１の処理に基づく情報、すなわち、入力部２０１から入力された情報に基づいて照射野情報を設定することも可能である（Ｓ２０１）。
【０１４３】
本実施形態によれば、実行された長尺撮影における照射野情報に基づいて面積線量を取得することが可能になる。
【０１４４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１４５】
１０１：撮影制御装置、１０２：放射線発生装置、２０１：入力部、
１０３：放射線撮影装置、３０１：放射線撮影装置、１１１：撮影制御部、
１１２：撮影条件設定部、１１３：撮影情報取得部、１１４：画像取得部、
１１５：照射野取得部、１１６：面積線量取得部、１１７：表示制御部
【図１】
2019198427.tif 000003
【図２】
2019198427.tif 000004
【図３】
2019198427.tif 000005
【図４】
2019198427.tif 000006
【図５】
2019198427.tif 000007
【図６】
2019198427.tif 000008
【図７】
2019198427.tif 000009
【図８】
2019198427.tif 000010
【図９】
2019198427.tif 000011
【図１０】
2019198427.tif 000012
【図１１】
2019198427.tif 000013
【図１２】
2019198427.tif 000014